(57)【特許請求の範囲】
【請求項１】
左右の乳房を含む胸部を覆うフロント布部２、前記フロント布部２の上部から延びて左右の肩に掛け渡される一対のショルダー布部３、前記フロント布部２の両脇部から背面に延びて前記ショルダー布部３と接続するバック布部４、前記フロント布部２および前記バック布部４の下端に接続するアンダー部５を備えるスポーツ用ブラジャー１であって、前記フロント布部２の内側に、乳房の外周縁を上部から両横にかけて囲み、その両末端が別個にアンダー部５と接続した乳房外周縁布部６を備え、前記外周縁布部６は、前記フロント布部２よりも伸縮性の低い素材で構成されることを特徴とするスポーツ用ブラジャー。
【請求項２】
前記フロント布部２の内側に、アンダー部５から乳頭を覆う高さまで、フロント布部２の両脇部間を覆う乳房遮蔽布部７を備える、請求項１に記載のスポーツ用ブラジャー。
【請求項３】
前記乳房外周縁布部６が、前記フロント布部２と前記ショルダー布部３との切り替え部分に接続しており、且つ、前記乳房外周縁布部６の両末端が別個にアンダー部５と接続しており、その他の部分ではフロント布部２には縫着されない状態で設置されている、請求項１又は２に記載のスポーツ用ブラジャー。
【請求項４】
左右の前記乳房外周縁布部６が接続している、請求項１〜３のいずれか１項に記載のスポーツ用ブラジャー。
【請求項５】
前記乳房外周縁布部６の全体長さが、設置箇所のフロント布部２の全体長さに対して、６〜１４ｍｍ短いことを特徴とする、請求項１〜４のいずれか１項に記載のスポーツ用ブラジャー。
【請求項６】
前記乳房外周縁布部６が、JIS-L-1018試験による定荷重時伸び率（カットストリップ法2.5cm×20cm、9.81N）が、縦２３０〜２７０％、横６５〜８５％の編地で構成されることを特徴とする、請求項１〜５のいずれか１項に記載のスポーツ用ブラジャー。
【請求項７】
前記乳房外周縁布部６が、ラッセル編地で構成されることを特徴とする、請求項６に記載のスポーツ用ブラジャー。
【発明の詳細な説明】
【技術分野】
【０００１】
本発明は、激しい運動中においても、乳房の揺れを抑え、揺れによる胸の痛みを軽減することができ、しかも、着用時の圧迫感が少ないスポーツ用ブラジャーに関する。
【背景技術】
【０００２】
運動時に着用されるスポーツ用ブラジャーとしては、従来様々なものが知られている。例えば、特許文献１には、内側縁から外側縁に向かって伸縮性の漸減する複数本のゴム紐を一本の円弧帯状に形成したカービングゴムを用いたスポーツ用ブラジャーが開示されている。また、特許文献２には、乳房の脇側下部領域とトップ領域とを結ぶ脇下ラインに沿って、弾性的に伸縮する脇下テープを配置したスポーツ用ブラジャーが開示されている。
【先行技術文献】
【特許文献】
【０００３】
【特許文献１】特開２０００−２２０００５号公報
【特許文献２】特許２９３０９３２号公報
【発明の概要】
【発明が解決しようとする課題】
【０００４】
しかしながら、上記のようなスポーツ用ブラジャーにおいては、以下のような問題があった。特許文献１に記載されるスポーツ用ブラジャーは、カービングゴムを用いているため、着用時の圧迫感が強く、また、吸湿性及び通気性に劣り、運動時の発汗により蒸れてしまう。特許文献２に記載されるスポーツ用ブラジャーは、乳頭上を、弾性力を有するテープが通るため、着用時に圧迫感を与え、また乳房の丸みをつぶしてしまう。
【０００５】
本発明は、上記問題点を解消し、運動時の乳房の揺れを抑えて揺れによる胸の痛みを軽減し、かつ、着用時の圧迫感を軽減した、快適に運動することのできるスポーツ用ブラジャーを提供することを目的とする。
【課題を解決するための手段】
【０００６】
本発明者は、鋭意研究を行った結果、左右の乳房を含む胸部を覆うフロント布部２、前記フロント布部２の上部から延びて左右の肩に掛け渡される一対のショルダー布部３、前記フロント布部２の両脇部から背面に延びて前記ショルダー布部３と接続するバック布部４、前記フロント布部２および前記バック布部４の下端に接続するアンダー部５を備えるスポーツ用ブラジャー１であって、前記フロント布部２の内側に、乳房の外周縁を上部から両横にかけて囲み、その両末端が別個にアンダー部５と接続した乳房外周縁布部６を備え、前記外周縁布部６は、前記フロント布部２よりも伸縮性の低い素材で構成されることを特徴とするスポーツ用ブラジャーが、上記の目的を達成できることを見出した。発明者は、かかる知見に基づき、さらに研究を重ねて本発明を完成するに至った。
【０００７】
即ち、本発明は、下記のスポーツ用ブラジャーを提供する。
項１．左右の乳房を含む胸部を覆うフロント布部２、前記フロント布部２の上部から延びて左右の肩に掛け渡される一対のショルダー布部３、前記フロント布部２の両脇部から背面に延びて前記ショルダー布部３と接続するバック布部４、前記フロント布部２および前記バック布部４の下端に接続するアンダー部５を備えるスポーツ用ブラジャー１であって、前記フロント布部２の内側に、乳房の外周縁を上部から両横にかけて囲み、その両末端が別個にアンダー部５と接続した乳房外周縁布部６を備え、前記外周縁布部６は、前記フロント布部２よりも伸縮性の低い素材で構成されることを特徴とするスポーツ用ブラジャー。
項２．前記フロント布部２の内側に、アンダー部５から乳頭を覆う高さまで、フロント布部２の両脇部間を覆う乳房遮蔽布部７を備える、項１に記載のスポーツ用ブラジャー。
項３．前記乳房外周縁布部６が、前記フロント布部２と前記ショルダー布部３との切り替え部分に接続している、項１又は２に記載のスポーツ用ブラジャー。
項４．左右の前記乳房外周縁布部６が接続している、項１〜３のいずれか１項に記載のスポーツ用ブラジャー。
項５．前記乳房外周縁布部６の全体長さが、設置箇所のフロント布部２の全体長さに対して、６〜１４ｍｍ短いことを特徴とする、項１〜４のいずれか１項に記載のスポーツ用ブラジャー。
項６．前記乳房外周縁布部６が、JIS-L-1018試験による定荷重時伸び率（カットストリップ法2.5cm×20cm、9.81N）が、縦２３０〜２７０％、横６５〜８５％の編地で構成されることを特徴とする、項１〜５のいずれか１項に記載のスポーツ用ブラジャー。
項７．前記乳房外周縁布部６が、ラッセル編地で構成されることを特徴とする、項６に記載のスポーツ用ブラジャー。 
【０００８】
以下、本発明のスポーツ用ブラジャーについて詳述する。
【０００９】
本発明のスポーツ用ブラジャーは、左右の乳房を含む胸部を覆うフロント布部２、前記フロント布部２の上部から延びて左右の肩に掛け渡される一対のショルダー布部３、前記フロント布部２の両脇部から背面に延びて前記ショルダー布部３と接続するバック布部４、前記フロント布部２および前記バック布部４の下端に接続するアンダー部５を備えるスポーツ用ブラジャー１であって、前記フロント布部２の内側に、乳房の外周縁を上部から両横にかけて囲み、その両末端が別個にアンダー部５と接続した乳房外周縁布部６を備え、前記外周縁布部６は、前記フロント布部２よりも伸縮性の低い素材で構成されることを特徴とするスポーツ用ブラジャーである。前記外周縁布部６として、前記フロント布部２よりも伸縮性の低い素材を用いることにより、運動時の乳房の揺れを抑える働きを持たせることができる。
【００１０】
フロント布部２の素材としては、動きに応じて体に適度にフィットする編地であれば特に限定はなく、軽さや通気性等の点から、例えばフライス編地のメッシュが好適である。
【００１１】
ショルダー布部３およびバック布部４の素材としては、動きやすさを向上させるため、伸縮性を有する生地であれば特に限定はないが、例えば、フライス編地やメッシュ生地が好適である。
【００１２】
アンダー部５の素材としては、運動時などに着用する際に、スポーツ用ブラジャー１がずり上がらないようにフィットさせるため、伸縮性があり、体を適度に締め付ける生地あるいはゴムであれば特に限定はなく、通気性や肌触り等の点から、例えば、弾性糸を用いたフライス編地が好適である。
【００１３】
乳房外周縁布部６の素材としては、運動時の乳房の揺れを抑えるため、前記フロント布部２の伸びを止める役割を果たす、前記フロント布部２よりも伸縮性の低い生地が用いられる。例えば、JIS-L-1018試験による定荷重時伸び率（カットストリップ法2.5cm×20cm、9.81N）が、縦２３０〜２７０％、横６５〜８５％の編地を用いることが好ましい。特に好ましくは、ラッセル編地である。
【００１４】
また乳房遮蔽部７の素材としては、内層としてフロント布部２を補強して乳房を支え、さらにフロント布部から乳頭が透けて見えることを防ぐため、ある程度の強度とハリを有する透けない生地であれば特に限定はないが、肌触りと厚み等の点から、例えば、不織布が好適である。
【００１５】
乳房外周縁布部６の形状は、乳房の外周縁を上部から両横にかけて囲み、その両末端が別個にアンダー部５に接続することにより、運動時の乳房の揺れを抑える働きを有する形状であれば特に限定はない。乳房外周縁布部６は、その上端部分がフロント布部２に縫着され、さらに、アンダー部５との接続部分においても縫着され、その他の部分ではフロント布部２には縫着されない状態で設置されることが好ましい。当該形状を採ることにより、乳頭のある乳房中心部を固定しないため、乳頭部分やその近辺に力をかけることなく乳房の揺れを押さえることが可能となり、着用時の圧迫感を軽減することができる。また、乳房の丸みをつぶさないため、美しいシルエットを保つことができる。
【００１６】
例えば、フロント布部２とショルダー布部３との切り替え部分を頂点とし、アンダー部５を底辺とする略三角形の、他の２辺を構成する形状が挙げられる。略三角形とは、三角形乃至それに近い形状（各辺が緩やかな曲線を有する三角形状などを含む）を意味する。当該略三角形の２辺のうち脇部側の１辺は、脇部と接続してもよいが、接続しない方が好ましい。また、左右の当該略三角形は、アンダー部５において、近接する頂点同士で接続してもよい。当該略三角形の２辺の幅は、上端のフロント布部２とショルダー布部３の切り替え部分から下端のアンダー部５の間において、一定である必要はない。運動時の乳房の揺れを抑えるためにフロント布部２の伸び止めの働きを有すればよく、幅は２〜３ｃｍ程度であることが好ましい。また、当該三角形の２辺の長さは、着用時に乳房外周縁布部６が伸びた状態になり、その縮もうとする力によって乳房の揺れを抑えるような長さであればよい。すなわち、当該三角形の２辺の長さは、それぞれ設置箇所のフロント布部２の長さに対して、若干短いことが好ましく、特にそれぞれ３〜７ｍｍ程度短いことが好ましい。
【００１７】
また、乳房の外周縁を逆Ｕ字状に囲み、該逆Ｕ字の両末端がそれぞれアンダー部に接続した形状を採ることもできる。当該逆Ｕ字の脇部側は、脇部と接続してもよいが、接続しない方が好ましい。また、左右の当該逆Ｕ字は、その近接する辺で互いに接続することもできる。当該逆Ｕ字の幅は、一定である必要はない。運動時の乳房の揺れを抑えるためにフロント布部２の伸び止めの働きを有すればよく、幅は２〜３ｃｍ程度であることが好ましい。また、当該逆Ｕ字の長さは、着用時に乳房外周縁布部６が伸びた状態になり、その縮もうとする力によって乳房の揺れを抑えるような長さであればよい。すなわち、当該逆Ｕ字の長さは、設置箇所のフロント布部２の周縁に対して、若干短いことが好ましく、特に６〜１４ｍｍ程度短いことが好ましい。
【００１８】
乳房遮蔽部７の形状は、乳頭がフロント布部から透けて見えることを防ぐ形状であれば特に限定はない。例えば、下辺はアンダー部に当接し、上辺は乳頭を覆う高さであって、フロント布部２の形状に沿った形で緩やかにカーブする形状が挙げられる。
【発明の効果】
【００１９】
本発明のスポーツ用ブラジャーは、乳頭のある乳房中心部を直接押さえて固定するのではなく、乳房外周縁を囲む形で固定することにより、乳頭部分やその近辺に力をかけることなく乳房の揺れを押さえることが可能となり、さらに着用時の圧迫感を軽減することができる。また、乳房のふくらみをつぶさないため、乳房のシルエットを美しく保つことができる。さらに、乳房外周縁を囲む素材として、圧力の強いゴム素材ではなく、編地を用いるため、着用時の肌触りに優れ、圧迫感も少ない。
【００２０】
したがって、発達途上にあるために乳房が硬く、圧迫により痛みを感じやすい女児にも、乳房が柔らかいために運動時に揺れやすい成人女性にも、どちらにも適している。
【図面の簡単な説明】
【００２１】
【図１】本発明のスポーツ用ブラジャーを示した図である。
【図２】本発明の試験方法における、マーカーのセット位置を示した図である。
【図３】本発明の試験方法における、乳房揺れの定義について示した図である。
【図４】表１に示す本発明の計測結果に基づき、右の乳房揺れの最大振幅値を示した図である。
【図５】表２に示す本発明の計測結果に基づき、左の乳房揺れの最大振幅値を示した図である。
【発明を実施するための形態】
【００２２】
次に、本発明の効果について、試験例によって説明する。試験に用いたサンプル（スポーツ用ブラジャー）は、下記に示すＡ〜Ｄである。
【００２３】
・サンプル
Ａ：図１に示す本発明品（乳房外周縁布部６：ナイロン６７％、綿１８％、ポリウレタン１５％、乳房遮蔽部７：不織布、身生地部組成：ポリエステル７５％、キュプラ２０％、ポリウレタン５％）
Ｂ：フライス編により編成されたフロント布部を有する比較品（身生地部組成：綿１００％）
Ｃ：フロント布部の上縁、および当該上縁から両乳頭部を通過してアンダー部に接続する線上にパワーネットを配した比較品（身生地部組成：ポリエステル９５％、ポリウレタン５％）
Ｄ：アンダー部から乳房の下縁まで、さらに乳房の横縁から脇部までにかけてパワーネットを配し、乳房部分にはモールドカップが挿入された比較品（身生部組成：ポリエステル８０％、ポリウレタン２０％）
【００２４】
・試験方法
成人女性被験者が上記サンプルＡ〜Ｄを着用した状態で、それぞれのサンプルの上から、以下に定める位置に再帰反射マーカーをセットし、基準姿勢時と計測動作時（立位姿勢からの垂直跳び）について、その反射光を測定することにより、左右の乳房について当該マーカーの位置を計測した。
マーカーのセット位置は、図２に示すとおり、乳頭点をＢＴとし、ＢＴと各骨格基準となる点とを結んだ線上の中点を、Ｂ１〜Ｂ４とした。また、胸骨上点と腋窩点を結んだ中点をＢ５とした。各マーカーの位置は、下記に示すとおりである。
【００２５】
ＢＴ：バストトップ（乳頭）
Ｂ１：バスト上辺内側
Ｂ２：バスト上辺外側
Ｂ３：バスト下辺外側
Ｂ４：バスト下辺内側
Ｂ５：バスト上辺中央
【００２６】
乳房揺れについては、図３に示すとおり、同じ着装条件において、基準姿勢に対する動作中の、ｌＢＴの鉛直方向相対変位であると定義した。
【００２７】
・計測結果
各マーカー位置における左右の乳房揺れの最大振幅値を、表１および２に示した。
【００２８】
【表１】
0005557556.tif 000002
【００２９】
【表２】
0005557556.tif 000003
【００３０】
図４および５に示すとおり、左右の乳房揺れにおいて、揺れの大きい順に、サンプルＢ、サンプルＣ、サンプルＤ、サンプルＡとなった。すなわち、本発明のスポーツ用ブラジャーは、運動時の揺れを抑える効果が高いことが確認できた。特に、バスト上辺外側（Ｂ２）とバスト下辺外側（Ｂ３）での揺れを効果的に抑えることができた。
【符号の説明】
【００３１】
１  スポーツ用ブラジャー
２  フロント布部
３  ショルダー布部
４  バック布部
５  アンダー部
６  乳房外周縁布部
７  乳房遮蔽部
【図１】
0005557556.tif 000004
【図２】
0005557556.tif 000005
【図３】
0005557556.tif 000006
【図４】
0005557556.tif 000007
【図５】
0005557556.tif 000008